(57)【要約】【課題】妻壁パネルを用いるユニット建物の構造の簡素化と、施工の簡素化を図ること。【解決手段】壁枠組２１に壁面材２２を取着してなり、複数の建物ユニット１０に跨って設置される妻壁パネル２０であって、相隣る建物ユニット１０の境界の上部に対応する位置に柱材２４、２５を備えてなるもの。【選択図】　図１
2004108010.tif 000002
【特許請求の範囲】
【請求項１】
壁枠組に壁面材を取着してなり、複数の建物ユニットに跨って設置される妻壁パネルであって、相隣る建物ユニットの境界の上部に対応する位置に柱材を備えてなる妻壁パネル。
【請求項２】
前記柱材の上端部を前記壁面材の上縁より低くし、該上端部を梁受け部として用いる請求項１に記載の妻壁パネル。
【請求項３】
前記柱材の上端部に吊り上げ用金物を設けた請求項１又は２に記載の妻壁パネル。
【発明の詳細な説明】
【０００１】
【発明の属する技術分野】
本発明はユニット建物に用いて好適な妻壁パネルに関する。
【０００２】
【従来の技術】
ユニット建物は、特許文献１に記載の如く、複数の建物ユニットを隣接設置し、各建物ユニットの上部に妻壁パネルを介して屋根パネルを搭載している。
【０００３】
【特許文献１】
特公昭６１−１５８３号公報
【０００４】
【発明が解決しようとする課題】
特許文献１では、妻壁パネルが対応する建物ユニット毎に分割されており、相隣る妻壁パネルの境界では柱材の重複を生じ、コスト高になる。また、１戸の建物に用いる妻壁パネルの総数も多くなり、建築現場での妻壁パネルの吊り上げ回数も多く、妻壁パネル相互の接続工数も必要とし、現地施工工数も多い。
【０００５】
本発明の課題は、妻壁パネルを用いるユニット建物の構造の簡素化と、施工の簡素化を図ることにある。
【０００６】
【課題を解決するための手段】
請求項１の発明は、壁枠組に壁面材を取着してなり、複数の建物ユニットに跨って設置される妻壁パネルであって、相隣る建物ユニットの境界の上部に対応する位置に柱材を備えてなるようにしたものである。
【０００７】
請求項２の発明は、請求項１の発明において更に、前記柱材の上端部を前記壁面材の上縁より低くし、該上端部を梁受け部として用いるようにしたものである。
【０００８】
請求項３の発明は、請求項１又は２の発明において更に、前記柱材の上端部に吊り上げ用金物を設けたものである。
【０００９】
【作用】
請求項１の発明によれば下記▲１▼、▲２▼の作用がある。
▲１▼妻壁パネルを複数の建物ユニットに跨って設置し、妻壁パネルの上の屋根荷重を柱材で受け、建物ユニットの柱材へ伝達する。
【００１０】
▲２▼妻壁パネルが建物ユニット毎に分割されないから、柱材の重複を解消し、コスト低減できる。また、１戸の建物に用いる妻壁パネルの総数が少なくなり、建築現場での妻壁パネルの吊り上げ回数、接続工数も少なく、現地施工工数を低減できる。
【００１１】
請求項２の発明によれば下記▲３▼の作用がある。
▲３▼妻壁パネルにおける柱材の上端部を壁面材の上縁より低くし、該上端部を梁受け部として用いることにより、妻壁パネルに設けた柱材への棟梁、たる木受の組込み確実容易を図ることができる。
【００１２】
請求項３の発明によれば下記▲４▼の作用がある。
▲４▼妻壁パネルの柱材の上端部に吊り上げ用金物を設けることにより、妻壁パネルの吊り上げの確実容易を図ることができる。
【００１３】
【発明の実施の形態】
図１は妻壁パネル（壁面材取着前）と建物ユニットを示す正面図、図２は妻壁パネル（壁面材取着済）を示す正面図、図３は妻壁パネルの柱材を示し、（Ａ）は斜視図、（Ｂ）は要部正面図、（Ｃ）は要部平面図、図４は妻壁パネルの吊り込み固定工程を示し、（Ａ）は吊り込み状態を示す斜視図、（Ｂ）は固定状態を示す斜視図、図５は妻壁パネルへの棟梁の吊り込み工程を示し、（Ａ）は全体斜視図、（Ｂ）は棟梁の斜視図、図６は妻壁パネルへのたる木受の吊り込み工程を示す斜視図、図７は妻壁パネルへの屋根パネルの吊り込み工程を示し、（Ａ）は屋根パネルの斜視図、（Ｂ）は全体斜視図、（Ｃ）は妻壁パネルと屋根パネルの接合構造を示す側面図、図８は棟梁への屋根パネルの接合構造を示し、（Ａ）は正面図、（Ｂ）は接合過程を示す斜視図である。
【００１４】
本発明が適用されるユニット建物１は、複数の建物ユニット１０を隣接設置し、各建物ユニット１０の上部に妻壁パネル２０を介して屋根パネル５０を搭載したものである。
【００１５】
建物ユニット１０は、床パネル１１の外縁部に壁パネル１２を立設して構成される（図４）。壁パネル１２は、壁枠組１３の内外面に壁面材１４を取着して構成される。壁枠組１３は、柱材１３Ａの上下に上枠材１３Ｂと下枠材１３Ｃ（不図示）を接合して構成される（図１）。
【００１６】
妻壁パネル２０は、図１に示す如く、複数の建物ユニット１０に跨って設置され、図１に示す壁枠組２１の内外面に、図２に示す壁面材２２を取着して構成される。壁枠組２１は、縦枠材２１Ａと斜め状上枠材２１Ｂと水平状下枠材２１Ｃを有し、縦枠材２１Ａの一部に柱材２３、２４、２５を含む。
【００１７】
柱材２３は、妻壁パネル２０の棟部に配置される。柱材２３の上端部は、相隣る両側の縦枠材２１Ａ、２１Ａの上縁、換言すればそれらの縦枠材２１Ａに貼着される壁面材２２の上縁より低く設定され、棟梁３０のための梁受け部２３Ａとされる。
【００１８】
柱材２４（柱材２５も同じ）は、妻壁パネル２０の下部で相隣る建物ユニット１０、１０の境界の上部に対応する位置に配置される。柱材２４の上端部は、相隣る両側の縦枠材２１Ａ、２１Ａの上縁、換言すればそれらの縦枠材２１Ａに貼着される壁面材２２の上縁より低く設定され、たる木受４０のための梁受け部２４Ａとされる。柱材２５も同様の梁受け部２５Ａを備える。
【００１９】
柱材２４（柱材２５も同じ）は、図３に示す如く、縦枠材２４Ａ、２４Ａとかい木２４Ｂを有し、両縦枠材２４Ａの上端部間に吊り上げ用金物２６を挟み、かつ両縦枠材２４Ａにボルト２４Ｃによって吊り上げ用金物２６を連結している。２６Ａはナットである。
【００２０】
ユニット建物１の構築手順は以下の如くになる（図４〜図８）。
（１）複数の建物ユニット１０を建築現場の基礎上に据付け、相隣る建物ユニット１０の壁パネル１２の上端面に、それらの壁パネル１２に跨るように掛け渡される継ぎ枠材１５を接合する（図４）。
【００２１】
（２）妻壁パネル２０の柱材２４、２５の吊り上げ用金物２６に取着した吊り具６０を用いて、妻壁パネル２０を複数の建物ユニット１０に跨る継ぎ枠材１５の上に吊り下ろす。妻壁パネル２０の下枠材２１Ｃを建物ユニット１０の継ぎ枠材１５、上枠材１３Ｂに釘打ち固定する（図４）。
【００２２】
（３）棟梁３０を妻壁パネル２０の柱材２３の梁受け部２３Ａに吊り込み固定する（図５）。棟梁３０は妻壁パネル２０から外方へ突出るケラバ３１を両端部に有する。棟梁３０はパネル受３２を両側面にビス止めされて備える。
【００２３】
（４）たる木受４０を妻壁パネル２０の柱材２４、２５の梁受け部２４Ａ、２５Ａに吊り込み固定する（図６）。
【００２４】
（５）屋根パネル５０を妻壁パネル２０、棟梁３０、たる木受４０に吊り込み固定する（図７、図８）。屋根パネル５０は、図７に示す如く、たる木５１Ａと腕木５１Ｂからなる屋根枠組５１の外面に屋根面材５２を取着して構成され、爪状の棟係止部５１Ｃを屋根枠組５１の上端部に備える。屋根パネル５０は、屋根枠組５１に取着した吊り具６０を用いて吊り下ろされ、棟係止部５１Ｃを棟梁３０のパネル受け３２に引掛け係止し（図８）、たる木５１Ａを妻壁パネル２０の上枠材２１Ｂ、たる木受４０に載せ、それらの壁枠組２１、棟梁３０、たる木受４０に釘打ち固定する（図７）。屋根パネル５０の腕木５１Ｂと妻壁パネル２０の上枠材２１Ｂとは、それらに釘打ち固定されるジョイント金物７０により接合される（図７）。
【００２５】
本実施形態によれば以下の作用がある。
▲１▼妻壁パネル２０を複数の建物ユニット１０に跨って設置し、妻壁パネル２０の上の屋根荷重を柱材２４、２５で受け、建物ユニット１０の柱材１３Ａへ伝達する。
【００２６】
▲２▼妻壁パネル２０が建物ユニット１０毎に分割されないから、柱材２３〜２５の重複を解消し、コスト低減できる。また、１戸の建物１に用いる妻壁パネル２０の総数が少なくなり、建築現場での妻壁パネル２０の吊り上げ回数、接続工数も少なく、現地施工工数を低減できる。
【００２７】
▲３▼妻壁パネル２０における柱材２３〜２５の上端部を壁面材２２の上縁より低くし、該上端部を梁受け部２３Ａ〜２５Ａとして用いることにより、妻壁パネル２０に設けた柱材２３への棟梁３０の組込み、柱材２４、２５へのたる木受４０の組込みの確実容易を図ることができる。
【００２８】
▲４▼妻壁パネル２０の柱材２４、２５の上端部に吊り上げ用金物２６を設けることにより、妻壁パネル２０の吊り上げの確実容易を図ることができる。
【００２９】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３０】
【発明の効果】
本発明によれば、妻壁パネルを用いるユニット建物の構造の簡素化と、施工の簡素化を図ることができる。
【図面の簡単な説明】
【図１】図１は妻壁パネル（壁面材取着前）と建物ユニットを示す正面図である。
【図２】図２は妻壁パネル（壁面材取着済）を示す正面図である。
【図３】図３は妻壁パネルの柱材を示し、（Ａ）は斜視図、（Ｂ）は要部正面図、（Ｃ）は要部平面図である。
【図４】図４は妻壁パネルの吊り込み固定工程を示し、（Ａ）は吊り込み状態を示す斜視図、（Ｂ）は固定状態を示す斜視図である。
【図５】図５は妻壁パネルへの棟梁の吊り込み工程を示し、（Ａ）は全体斜視図、（Ｂ）は棟梁の斜視図である。
【図６】図６は妻壁パネルへのたる木受の吊り込み工程を示す斜視図である。
【図７】図７は妻壁パネルへの屋根パネルの吊り込み工程を示し、（Ａ）は屋根パネルの斜視図、（Ｂ）は全体斜視図、（Ｃ）は妻壁パネルと屋根パネルの接合構造を示す側面図である。
【図８】図８は棟梁への屋根パネルの接合構造を示し、（Ａ）は正面図、（Ｂ）は接合過程を示す斜視図である。
【符号の説明】
１０　建物ユニット
２０　妻壁パネル
２１　壁枠組
２２　壁面材
２３、２４、２５　柱材
２３Ａ、２４Ａ、２５Ａ　梁受け部
２６　吊り上げ用金物
【図１】
2004108010.tif 000003
【図２】
2004108010.tif 000004
【図３】
2004108010.tif 000005
【図４】
2004108010.tif 000006
【図５】
2004108010.tif 000007
【図６】
2004108010.tif 000008
【図７】
2004108010.tif 000009
【図８】
2004108010.tif 000010